(57)【要約】【課題】多量の軟便が排泄された場合においても、横漏れを確実に防止する。【解決手段】吸収体４に、着用者の股下部に対応する位置又はその近傍から背側に延びる吸収体の欠損領域１０を形成するとともに、表面シート３を欠損領域１０において吸収体４に沿って配置する。欠損領域１０に沿って配置された部分の表面シート３が撥水性を有している。肌側面の背側の端部に、股下側に向けて開口するポケット空間１１が設けられており、欠損領域１０がポケット空間１１に向けて延びている。これによって、多量の軟便が排泄された場合においても、欠損領域１０によって形成された凹部に軟便が流れ込むとともに、撥水性を有する表面シート３の表面を伝って背側に素早く流れる結果、軟便が股下部に滞留せず、横漏れが生じにくくなる。【選択図】図７
2020130803.tif 000002
【特許請求の範囲】
【請求項１】
吸収体と、前記吸収体の肌側を覆う表面シートとを備えた吸収性物品において、
前記吸収体に、着用者の股下部に対応する位置又はその近傍から背側に延びる吸収体の欠損領域が形成されるとともに、前記表面シートが前記欠損領域において前記吸収体に沿って配置されており、前記欠損領域に配置された部分の前記表面シートが撥水性を有していることを特徴とする吸収性物品。
【請求項２】
肌側面の背側の端部に、股下側に向けて開口するポケット空間が設けられており、前記欠損領域が前記ポケット空間に向けて延びている請求項１記載の吸収性物品。
【請求項３】
前記欠損領域は、前記吸収体を厚み方向に貫通する吸収体の貫通部又は前記吸収体の肌側面に形成された吸収体の凹部からなる請求項１、２いずれかに記載の吸収性物品。
【請求項４】
前記吸収体が、肌側の上層吸収体と非肌側の下層吸収体とからなり、
前記欠損領域が、少なくとも前記上層吸収体を欠損させた部分からなる請求項１〜３いずれかに記載の吸収性物品。
【請求項５】
前記欠損領域は、吸収性物品の平面視において、吸収性物品の長手方向に長い縦長の形状を１つ又は幅方向に間隔を空けて複数配置した形状で形成されている請求項１〜４いずれかに記載の吸収性物品。
【請求項６】
前記欠損領域は、吸収性物品の平面視において、長手方向中心線の両側にそれぞれ、着用者の股下側から背側に向けて、吸収性物品の長手方向に長い縦長の形状で形成されるとともに、その背側の端部に連続して長手方向中心線側に傾斜する形状で形成されている請求項１〜５いずれかに記載の吸収性物品。
【請求項７】
前記欠損領域は、吸収性物品の平面視において、長手方向中心線の両側にそれぞれ、着用者の股下側から背側に向けて、吸収性物品の長手方向に長い縦長の形状で形成されるとともに、その股下側の端部に連続して股下側に向けて長手方向中心線側に傾斜する形状で形成されている請求項１〜６いずれかに記載の吸収性物品。
【請求項８】
前記欠損領域は、吸収性物品の平面視において、背側の端部が複数に枝分かれする形状で形成されている請求項１〜７いずれかに記載の吸収性物品。
【発明の詳細な説明】
【技術分野】
【０００１】
本発明は、主には使い捨てパッド、使い捨ておむつ、生理用ナプキン、おりものシート等の吸収性物品に係り、特に軟便を背側に拡散させるため、着用者の股下部に対応する位置から背側に延びる吸収体の欠損領域が備えられた吸収性物品に関する。
【背景技術】
【０００２】
吸収性物品は、通常、少なくとも、表面側に配置される透液性の表面シートと、裏面側に配置される不透液性の裏面シートと、これらの両シート間に介在された吸収体とにより物品本体が構成されており、前記表面シートを透過した排泄物が吸収体に吸収、保持されるようになっている。
【０００３】
従来より、このような吸収性物品として、排泄物、特に軟便を外部に漏らすことなく吸収、保持できるようにしたものが種々提案されている。例えば、下記特許文献１においては、トップシートの上部に前身頃から後身頃にかけて配置され、前記前身頃から前記後身頃側にかけて複数の排泄液流入孔が形成されるとともに前記後身頃側に便通過用開口部が形成されたスキンコンタクトシートを備えた使い捨ておむつが提案されており、また、下記特許文献２においては、吸収体が、排尿域において、周囲よりも薄くなった凹型立体形状部分を有している吸収性物品が提案されている。
【先行技術文献】
【特許文献】
【０００４】
【特許文献１】特開２００９−５０６２１号公報
【特許文献２】特開２０１８−４２９３０号公報
【発明の概要】
【発明が解決しようとする課題】
【０００５】
上記特許文献１には、前記スキンコンタクトシートを備えることによって、着用者の肌には、まずスキンコンタクトシートが接触するため、スキンコンタクトシートの下部に配置されるトップシートは、着用者の肌と直接接触し難くなり、たとえトップシート上に便が残存していたとしても、その便と着用者の肌とが直接接触する機会を大幅に減少させるという効果が記載されている。しかしながら、仰向け寝のときなどのように、吸収性物品の肌側面に臀部の圧力がかかった状態で軟便が排泄された場合、排泄された軟便は、臀部の圧力によって前後方向への流れが塞き止められ、幅方向に流れるようになる。その結果、軟便がギャザーから浸み出したり股部から漏れたりする所謂横漏れが発生するおそれがあった。また、上記特許文献２記載の吸収性物品は、凹型立体形状部分に軟便等を捕捉することによって漏れを防止しようとしたものであるが、多量の軟便が排泄された場合、この凹型立体形状部分から溢れ出て、上述と同様に横漏れが発生するおそれがあった。
【０００６】
また、近年では、長手方向への拡散を向上させることを目的として、表面シートの肌当接面に長手方向に沿って畝部と溝部とが交互に複数配置されたものが提案されているが、肌を伝って幅方向に拡散する軟便を塞き止めることは難しいという課題があった。
【０００７】
そこで本発明の主たる課題は、多量の軟便が排泄された場合においても、横漏れが確実に防止できるようにした吸収性物品を提供することにある。
【課題を解決するための手段】
【０００８】
上記課題を解決するために請求項１に係る本発明として、吸収体と、前記吸収体の肌側を覆う表面シートとを備えた吸収性物品において、
前記吸収体に、着用者の股下部に対応する位置又はその近傍から背側に延びる吸収体の欠損領域が形成されるとともに、前記表面シートが前記欠損領域において前記吸収体に沿って配置されており、前記欠損領域に配置された部分の前記表面シートが撥水性を有していることを特徴とする吸収性物品が提供される。
【０００９】
上記請求項１記載の発明では、前記吸収体に、着用者の股下部に対応する位置又はその近傍から背側に延びる吸収体の欠損領域が形成されるとともに、前記表面シートが前記欠損領域において前記吸収体に沿って配置されており、この欠損領域に配置された部分の前記表面シートが撥水性を有しているため、多量の軟便が排泄された場合においても、前記欠損領域によって形成された凹部に軟便が流れ込むとともに、撥水性を有する表面シートの表面を伝って背側に素早く流れる結果、軟便が股下部に滞留せず、横漏れが生じにくくなる。
【００１０】
請求項２に係る本発明として、肌側面の背側の端部に、股下側に向けて開口するポケット空間が設けられており、前記欠損領域が前記ポケット空間に向けて延びている請求項１記載の吸収性物品が提供される。
【００１１】
上記請求項２記載の発明では、肌側面の背側の端部に、股下側に向けて開口するポケット空間が設けられており、前記欠損領域が前記ポケット空間に向けて延びているため、前記欠損領域を覆う撥水性の表面シートの表面を伝って背側に向けて流れた軟便が、前記ポケット空間内に入り込んで貯留されるようになる。このため、多量の軟便が排泄された場合においても、軟便の漏れがより確実に防止できるようになる。
【００１２】
請求項３に係る本発明として、前記欠損領域は、前記吸収体を厚み方向に貫通する吸収体の貫通部又は前記吸収体の肌側面に形成された吸収体の凹部からなる請求項１、２いずれかに記載の吸収性物品が提供される。
【００１３】
上記請求項３記載の発明では、前記欠損領域が、吸収体を厚み方向に貫通する吸収体の貫通部によって形成されるか、前記吸収体の肌側面に設けられた吸収体の凹部によって形成されている。吸収体の貫通部によって形成した場合には、軟便が流れる流路の断面積を大きくできるため、撥水性の表面シートの表面を伝ってより多くの軟便を流すことができるようになる。また、吸収体の凹部によって形成した場合には、欠損領域における吸水能力が確保されるため、表面シートを透過した若干量の水分や周囲から拡散した水分を吸収して、前記欠損領域を設けたことによる吸収体の吸収能力の低下を抑えることができるようになる。
【００１４】
請求項４に係る本発明として、前記吸収体が、肌側の上層吸収体と非肌側の下層吸収体とからなり、
前記欠損領域が、少なくとも前記上層吸収体を欠損させた部分からなる請求項１〜３いずれかに記載の吸収性物品が提供される。
【００１５】
上記請求項４記載の発明では、前記吸収体を上層吸収体と下層吸収体とから構成した場合において、前記欠損領域を、少なくとも前記上層吸収体を欠損させた部分によって構成している。即ち、上層吸収体のみを厚み方向に貫通させた場合には、底部に下層吸収体が配置された凹部によって前記欠損領域が形成され、前記上層吸収体及び下層吸収体を一体的に貫通させた場合には、これらの貫通部によって前記欠損領域が形成される。
【００１６】
請求項５に係る本発明として、前記欠損領域は、吸収性物品の平面視において、吸収性物品の長手方向に長い縦長の形状を１つ又は幅方向に間隔を空けて複数配置した形状で形成されている請求項１〜４いずれかに記載の吸収性物品が提供される。
【００１７】
上記請求項５記載の発明では、前記欠損領域の平面形状として、吸収性物品の長手方向に長い縦長の形状を１つ又は幅方向に間隔を空けて複数配置している。このため、軟便がこの欠損領域に沿って背側に向けて流れやすくなる。
【００１８】
請求項６に係る本発明として、前記欠損領域は、吸収性物品の平面視において、長手方向中心線の両側にそれぞれ、着用者の股下側から背側に向けて、吸収性物品の長手方向に長い縦長の形状で形成されるとともに、その背側の端部に連続して長手方向中心線側に傾斜する形状で形成されている請求項１〜５いずれかに記載の吸収性物品が提供される。
【００１９】
上記請求項６記載の発明では、前記欠損領域の平面形状として、長手方向中心線の両側にそれぞれ、着用者の股下側から背側に向けて、吸収性物品の長手方向に長い縦長の形状で形成されるとともに、その背側の端部に連続して長手方向中心線側に傾斜する形状で形成している。このため、背側の幅方向中心側に傾斜する部分によって、背側に流れた軟便を幅方向中央側に寄せ集めることができる。
【００２０】
請求項７に係る本発明として、前記欠損領域は、吸収性物品の平面視において、長手方向中心線の両側にそれぞれ、着用者の股下側から背側に向けて、吸収性物品の長手方向に長い縦長の形状で形成されるとともに、その股下側の端部に連続して股下側に向けて長手方向中心線側に傾斜する形状で形成されている請求項１〜６いずれかに記載の吸収性物品が提供される。
【００２１】
上記請求項７記載の発明では、前記欠損領域の平面形状として、長手方向中心線の両側にそれぞれ、着用者の股下側から背側に向けて、吸収性物品の長手方向に長い縦長の形状で形成されるとともに、その股下側の端部に連続して股下側に向けて長手方向中心線側に傾斜する形状で形成している。このため、股下側の幅方向中心側から傾斜した部分によって、排泄された軟便が速やかにこの欠損領域によって形成された凹部に入り込んで背側に流れるようになる。
【００２２】
請求項８に係る本発明として、前記欠損領域は、吸収性物品の平面視において、背側の端部が複数に枝分かれする形状で形成されている請求項１〜７いずれかに記載の吸収性物品が提供される。
【００２３】
上記請求項８記載の発明では、前記欠損領域の平面形状として、背側の端部が複数に枝分かれする形状で形成している。これによって、背側に流れる軟便の勢いを分散することができ、背側の所定領域に軟便が滞留しやすくなる。
【発明の効果】
【００２４】
以上詳説のとおり本発明によれば、多量の軟便が排泄された場合においても、横漏れが確実に防止できるようになる。
【図面の簡単な説明】
【００２５】
【図１】本発明に係る使い捨てパッド１の一部破断展開図である。
【図２】図１のII−II線矢視図である。
【図３】図１のIII−III線矢視図である。
【図４】図１のIV−IV線矢視図である。
【図５】図１のV−V線矢視図である。
【図６】図１のVI−VI線矢視図である。
【図７】軟便の流れを示す、使い捨てパッド１の平面図である。
【図８】従来の軟便の流れを示す、使い捨てパッドの平面図である。
【図９】変形例に係る使い捨てパッド１を示す背側の平面図（その１）である。
【図１０】変形例に係る使い捨てパッド１を示す背側の平面図（その２）である。
【図１１】変形例に係る使い捨てパッド１を示す背側の平面図（その３）である。
【図１２】変形例に係る使い捨てパッド１を示す背側の平面図（その４）である。
【図１３】変形例に係る使い捨てパッド１を示す背側の平面図（その５）である。
【図１４】欠損領域１０の横断面図である。
【図１５】変形例に係る欠損領域１０の横断面図である。
【発明を実施するための形態】
【００２６】
以下、本発明の実施の形態について図面を参照しながら詳述する。
【００２７】
〔使い捨てパッドの基本構造の一例〕
本発明に係る吸収性物品の一例として、使い捨てパッド１を例に挙げ以下に詳細に説明する。前記使い捨てパッド１は、パンツタイプ若しくはテープタイプの使い捨ておむつのインナーとして用いられるものである。なお、本発明は、使い捨てパッドに限らず、使い捨ておむつ、生理用ナプキンなど各種の吸収性物品に適用できることはいうまでもない。
【００２８】
本発明に係る使い捨てパッド１は、図１〜図３に示されるように、ポリエチレンシートなどからなる防漏シート２と、肌当接面をなし、尿などを速やかに透過させる表面シート３と、これら両シート２、３間に介装された吸収体４と、使い捨てパッド１の最外面（非肌当接面）を覆う外装シート５と、前記吸収体４の略側縁部を起立基端とし、かつ少なくとも着用者の排尿口部Ｈ及び肛門部Ｋを含む前後方向の所定の区間内において肌側に突出して設けられた左右一対の立体ギャザーＢＳ、ＢＳを形成するギャザーシート６、６とから主に構成され、かつ吸収体４の周囲においては、その上下端縁部では表面シート３及び外装シート５の外縁部がホットメルトなどの接着剤やヒートシール、超音波シール等の接合手段によって接合され、またその両側縁部では吸収体４よりも側方に延出しているギャザーシート６及び外装シート５がホットメルトなどの接着剤やヒートシール、超音波シール等の接合手段によって接合されている。前記吸収体４は、図示例のようにクレープ紙又は不織布などからなる被包シート８によって囲繞するのが好ましいが、前記被包シート８は設けなくてもよい。
【００２９】
前記防漏シート２は、ポリエチレン等の少なくとも遮水性を有するシート材が用いられるが、近年ではムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記防漏シート２としては、プラスチックフィルムと不織布とを積層させたポリラミ不織布を用いてもよい。
【００３０】
前記表面シート３は、有孔または無孔の不織布などが用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。前記表面シート３は、後段で詳述するように、所定の撥水処理により、一部が撥水性を有するようになっている。
【００３１】
前記防漏シート２と表面シート３との間に介在される吸収体４は、たとえば綿状パルプと高吸水性ポリマーとにより構成されている。前記高吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４の目付は、２５０〜１２００ｇ／ｍ２、好ましくは４００〜６００ｇ／ｍ２とするのがよい。
【００３２】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３３】
前記吸収体４は、図示例では、肌側の上層吸収体４Ａと非肌側の下層吸収体４Ｂとから構成されている。前記上層吸収体４Ａは、着用者の排尿口部Ｈ及び肛門部Ｋを含む領域に配置され、下層吸収体４Ｂより幅寸法及び長手寸法が小さく形成されるとともに、下層吸収体４Ｂの長手方向両端縁及び幅方向両端縁より内側に配置されている。前記上層吸収体４Ａは、後段で詳述する欠損領域１０において欠損するようになっている。前記吸収体４は、このような２層構造に代えて、１層構造としてもよいし３層以上の多層構造としてもよい。
【００３４】
前記吸収体４は、図示例のように、形状保持および拡散性向上のために、前記吸収体４の少なくとも肌側面及び非肌側面を、クレープ紙又は不織布などからなる被包シート８で覆うのが好ましい。吸収体４を覆う被包シート８を設ける場合には、結果的に表面シート３と吸収体４との間に被包シート８が介在することになり、前記被包シート８がクレープ紙からなる場合には、吸収性に優れる前記被包シート８によって体液を速やかに拡散させるとともに、吸収体４に吸収した体液の逆戻りを防止するようになる。
【００３５】
前記外装シート５は、防漏シート２を覆って使い捨てパッド１の外面を布のような外観、肌触りとするものである。前記外装シート５としては、不織布で形成するのが好ましい。素材繊維は、ポリエチレンまたはポリプロピレン等のオレフィン系、ポリエステル系、ポリアミド系等の合成繊維の他、レーヨンやキュプラ等の再生繊維、綿等の天然繊維を用いることができ、加工法は、スパンレース法、スパンボンド法、サーマルボンド法、エアスルー法、ニードルパンチ法等を用いて製作することができる。但し、肌触り及び強度を両立できる点でスパンボンド不織布やＳＭＳ不織布、ＳＭＭＳ不織布等の長繊維不織布が好ましい。
不織布は一枚で使用する他、複数枚を重ねて使用することもでき、複数枚を重ねて使用する場合は、不織布相互をホットメルト等の接着剤を介して固定するのが好ましい。また、不織布を用いる場合は、その繊維目付けは８〜５０ｇ／ｍ２、特に１０〜３０ｇ／ｍ２が好ましい。
【００３６】
前記外装シート５の非肌側面（外面）に、１または複数条の仮止め層（図示せず）を形成することにより、身体への装着時に使い捨てパッド１を下着や使い捨ておむつ等に固定するようにしてもよい。前記仮止め層としては、機械接合式のフック材を用いてもよいし、粘着剤を用いてもよい。前記仮止め層は必要に応じて設けられ、特段設けなくてもよい。
【００３７】
一方、前記表面シート３の幅寸法は、図示例では、図２に示されるように、吸収体４の両側部に脚周りカットライン４ａが形成された部分ではこの脚周りカットライン４ａによって両側部が窪んだ吸収体４の幅寸法よりも若干長めとされる一方で、図３に示されるように、それ以外の部分では、吸収体４の幅寸法よりも若干短めとされ、吸収体４の少なくとも幅方向中央部を覆うだけに止まり、それより外方側は前記表面シート３とは別のギャザーシート６、具体的には体液が浸透するのを防止する、あるいは肌触り感を高めるなどの目的に応じて、適宜の撥水処理または親水処理を施した不織布素材を用いて構成されたギャザーシート６が配設されている。
【００３８】
かかるギャザーシート６としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を８〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３９】
前記ギャザーシート６の内方側部分はほぼ二重に折り返されるとともに、この二重シート内部に、その高さ方向中間部に１又は複数本の、図示例では２本の糸状弾性伸縮部材９、９が両端または長手方向の適宜の位置が固定された状態で配設されている。この二重シート部分は長手方向の両端部で、図３に示されるように、内側に倒した状態又は外側に１回折り返して積層された状態で吸収体４側に接着されることによって、少なくとも着用者の排尿口部Ｈ及び肛門部Ｋを含む長手方向の所定の区間内において図２に示されるように、肌側に起立する立体ギャザーＢＳ、ＢＳが左右対で形成されている。
【００４０】
〔欠損領域〕
図１及び図４〜図６に示されるように、前記吸収体４には、着用者の股下部に対応する位置又はその近傍から背側に延びる吸収体の欠損領域１０が形成されている。着用者の股下部に対応する位置とは、着用者の股下における前後方向の中央部、即ち着用者の排尿口部Ｈと肛門部Ｋとの間の若干肛門部Ｋ寄りの位置であって、概ね使い捨てパッド１の長手方向の長さの１／２の位置である。前記欠損領域１０は、その位置又はその近傍から背側に連続して延びている。前記欠損領域１０が着用者の股下部に対応する位置の近傍から背側に延びる場合とは、例えば、着用者の肛門部Ｋに対応する位置又はその周辺から背側に延びる場合が挙げられる。
【００４１】
前記欠損領域１０は、吸収体４の肌側面から厚み方向に少なくとも一部を欠損させた領域であり、図４〜図６に示されるように、吸収体４の肌側面に形成された吸収体の凹部によって形成することができる。吸収体４が前記上層吸収体４Ａと下層吸収体４Ｂの２層構造からなる場合、前記欠損領域１０は、前記上層吸収体４Ａのみに欠損させた部分を設けることによって構成することができる。具体的には、上層吸収体４Ａのみに厚み方向に貫通するスリット部を設けることができる。これによって、吸収体４の肌側面に、底部に下層吸収体４Ｂが配置された非肌側に窪む凹部が形成され、この凹部が前記欠損領域１０を構成するようになる。
【００４２】
前記表面シート３は、前記欠損領域１０において前記吸収体４に沿って配置されている。即ち、前記吸収体４と表面シート３との間に空間部が形成されることなく、表面シート３が、欠損領域１０に入り込むようにして、欠損領域１０の底面及び側面の吸収体４に沿って配置されている。これによって、欠損領域１０において、表面シート３の肌側面に非肌側に窪む凹部が形成されるようになる。
【００４３】
更に、前記欠損領域１０に配置された部分の前記表面シート３が、撥水性を有している。即ち、この部分の表面シート３に所定の撥水処理が施されることにより、表面シート３の一部が撥水性となっている。それ以外の部分の表面シート３は、親水性を有している。このような撥水処理が施される部分は、少なくとも表面シート３が前記欠損領域１０に入り込んだ部分、即ち欠損領域１０の底面及び側面に沿って配置された部分であり、好ましくはその周囲を含むようにするのがよい。
【００４４】
上記の構成を備えることによって、図７に示されるように、多量の軟便が排泄された場合においても、軟便が欠損領域１０によって形成された凹部に流れ込んで、この欠損領域１０に沿って配置された撥水性の表面シート３の表面を伝って背側に流れるようになる。したがって、軟便が股下部に滞留せず、横漏れが生じにくくなる。これに対して、このような欠損領域１０が設けられない従来の使い捨てパッドでは、図８に示されるように、軟便が背側に流れにくく、肛門部Ｋ及びその周辺に滞留する。特に、仰向け寝のときなどは、臀部の圧力によって軟便の流れが塞き止められ、幅方向外側に流れて横漏れが生じやすかった。なお、図７及び図８において、ギャザーシート６の図示を省略している。
【００４５】
本発明に係る使い捨てパッド１では、図１、図５及び図６に示されるように、肌側面の背側の端部に、股下側に向けて開口するポケット空間１１が設けられており、前記欠損領域１０が前記ポケット空間１１に向けて延びるようにするのが好ましい。前記ポケット空間１１は、左右のギャザーシート６、６間の肌側面にポケット空間形成用シート１２が跨って配置されるとともに、股下側を除く、両側及び背側の各辺部が下層側の部材に接合されることによって、表面シート３とポケット空間形成用シート１２及びギャザーシート６との間に形成される空間部である。前記ポケット空間１１を設けることにより、前記欠損領域１０を覆う撥水性の表面シート３の表面を伝って背側に流れた軟便が、ポケット空間１１内に入り込むようになる。このポケット空間１１内では、表面シート３を通過しにくい軟便の固形分がこのポケット空間１１内に貯留されるとともに、液体分が表面シート３を透過して吸収体４に吸収されるようになる。したがって、多量の軟便が排泄された場合においても、軟便の漏れがより確実に防止できるようになる。
【００４６】
前記ポケット空間形成用シート１２の股下側端縁は、前記ギャザーシート６が糸状弾性伸縮部材９の収縮力によって肌側に起立する区間まで延在しており、一方、背側端縁は、前記ギャザーシート６の長手方向両端部が吸収体４側に接着される領域に位置している。
【００４７】
前記欠損領域１０の背側の端縁は、前記ポケット空間１１の内部まで延びているのが好ましい。これにより、欠損領域１０を覆う撥水性の表面シート３の表面を伝って背側に流れる軟便が、ポケット空間１１の内部に流れ込みやすくなる。前記欠損領域１０の背側の端縁は、ポケット空間１１内であればいずれの位置でもよく、ポケット空間１１内のパッド長手方向の中間部でもよいし、ポケット空間１１の背側の端縁まで延在していてもよい。また、ポケット空間１１より股下側に位置してもよい。
【００４８】
前記ポケット空間形成用シート１２としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。また、軟便に含まれる体液の透過を確実に防止するためにシリコン系、パラフィン系、アルキルクロミッククロリド系撥水剤などをコーティングした撥水処理不織布が好適に使用される。
【００４９】
次いで、前記欠損領域１０の平面形状について説明する。なお、以下に説明する図９〜図１３において、ギャザーシート６の図示を省略している。
【００５０】
図１に示される実施形態例では、前記欠損領域１０は、使い捨てパッド１の平面視において、長手方向中心線ＣＬの両側にそれぞれ、着用者の股下部に対応する位置から背側に向けて、長手方向中心線ＣＬと略平行して延びる使い捨てパッド１の長手方向に長い縦長の形状で形成される長手方向平行部１３と、その長手方向平行部１３の背側の端部に連続して長手方向中心線ＣＬ側に傾斜する傾斜部１４とが配置されている。図示例では、左右の傾斜部１４、１４の背側の端縁同士が長手方向中心線ＣＬ上において接続することにより、左右の欠損領域が一体的な形状で形成されているが、左右にそれぞれ離隔して配置されるようにしてもよい。股下部において前記長手方向平行部１３が左右に離隔して配置されることにより、肛門部Ｋから幅方向に流れた軟便が、欠損領域１０によって形成された凹部に流れ込みやすくなるとともに、前記長手方向平行部１３に沿って背側に流れやすくなる。また、前記長手方向平行部１３の背側の端部に連続して傾斜部１４が備えられることによって、欠損領域１０を覆う撥水性の表面シート３の表面を伝って背側に流れる軟便が、背側で長手方向中心線ＣＬ側に集約され、前記ポケット空間１１に流れ込みやすくなる。
【００５１】
また、前記欠損領域１０の変形例として、図９に示されるように、使い捨てパッド１の平面視において、幅方向中央部に使い捨てパッド１の長手方向に長い縦長の形状で１条の欠損領域１０が形成されるようにしてもよい。前記欠損領域１０の股下側の端縁は、図示例のように、肛門部Ｋを含む位置に配置してもよいし、肛門部Ｋより背側に配置してもよい。このような形態で欠損領域１０を設けることにより、欠損領域１０によって形成された凹部に軟便が流れ込みやすくなる。
【００５２】
この形態において、前記欠損領域１０の幅寸法は任意であり、図１０に示されるように、上層吸収体４Ａのほぼ全幅に亘って形成されるようにしてもよい。このように上層吸収体４Ａのほぼ全幅に亘って欠損領域１０を設けた場合には、前記欠損領域１０の股下側の端縁より背側には上層吸収体４Ａが設けられないようになる。このように欠損領域１０を幅広に形成することにより、広い範囲で軟便をキャッチして背側に拡散させることができるようになる。
【００５３】
このような長手方向に延びる欠損領域１０は、図１１に示されるように、幅方向に間隔を空けて複数配置してもよい。図示例では２条配置しているが、３条以上としてもよい。複数の欠損領域１０…を配置することにより、１つの欠損領域１０を幅広に形成するよりも、吸収体４のパルプ量が極端に減少することなく、軟便の拡散性を向上させることができるようになる。
【００５４】
また、他の変形例として、図１２に示されるように、使い捨てパッド１の平面視において、長手方向中心線ＣＬの両側にそれぞれ、着用者の股下側から背側に向けて、長手方向中心線ＣＬと略平行して延びる使い捨てパッド１の長手方向に長い縦長の長手方向平行部１６と、その股下側の端部に連続して股下側に向けて長手方向中心線ＣＬ側に傾斜する傾斜部１５とが配置されるようにしてもよい。前記長手方向平行部１６の股下側に長手方向中心線ＣＬ側に傾斜する傾斜部１５が備えられることにより、肛門部Ｋにおいて排泄された軟便が欠損領域１０によって形成された凹部に速やかに流入しやすくなり、軟便が欠損領域１０を通じて背側に拡散しやすくなる。図示例では、左右の傾斜部１５、１５の股下側の端縁が長手方向中心線ＣＬ上において接続することにより、左右の欠損領域が一体的な形状で形成されているが、左右にそれぞれ離隔して配置されるようにしてもよい。
【００５５】
更に、他の変形例として、図１３に示されるように、前記欠損領域１０は、使い捨てパッド１の平面視において、背側の端部が複数に枝分かれする形状で形成してもよい。このような枝分かれ部を設けることにより、背側に向けて流れる軟便の勢いを分散させることができ、軟便がポケット空間１１内により確実に収納されるようになる。
【００５６】
以上の欠損領域１０の平面形状は、２以上の実施形態例を組み合わせてもよい。このような組み合わせの形態としては、例えば、使い捨てパッド１の長手方向に長い縦長の形状を幅方向に間隔を空けて複数配置した場合において、各縦長形状の背側の端部が複数に枝分かれする形態、長手方向中心線ＣＬの両側にそれぞれ長手方向平行部を形成するとともに、その背側の端部及び股下側の端部にそれぞれ連続して、長手方向中心線ＣＬ側傾斜する傾斜部を形成する形態などを挙げることができる。
【００５７】
次に、前記欠損領域１０に配置された部分の表面シート３に撥水処理を施す方法について説明する。前記撥水処理としては、所定領域に撥水剤を塗布する方法、図１４(A)に示されるように、表面シート３の所定位置の肌側面に撥水シート１７を接合する方法、図１４(B)に示されるように、表面シート３の非肌側に隣接して表面シート３とほぼ同形状の親水性の不織布からなるセカンドシート１８を配置し、これら表面シート３とセカンドシート１８との間の所定部分に接着剤をスロットコート、カーテンスプレーなどによって全面塗布した接着剤層１９を設ける方法などを挙げることができる。
【００５８】
前記欠損領域１０は、図１５に示されるように、吸収体４を厚み方向に貫通する吸収体の貫通部によって構成してもよい。図示例では、上層吸収体４Ａ及び下層吸収体４Ｂを一体的に厚み方向に貫通する吸収体の貫通部によって形成している。これにより、欠損領域１０によって形成される凹部の深さが深くなり、より多くの軟便を流すことができるようになる。
【符号の説明】
【００５９】
１…使い捨てパッド、２…防漏シート、３…表面シート、４…吸収体、４Ａ…上層吸収体、４Ｂ…下層吸収体、５…外装シート、６…ギャザーシート、８…被包シート、９…糸状弾性伸縮部材、１０…欠損領域、１１…ポケット空間、１２…ポケット空間形成用シート
【図１】
2020130803.tif 000003
【図２】
2020130803.tif 000004
【図３】
2020130803.tif 000005
【図４】
2020130803.tif 000006
【図５】
2020130803.tif 000007
【図６】
2020130803.tif 000008
【図７】
2020130803.tif 000009
【図８】
2020130803.tif 000010
【図９】
2020130803.tif 000011
【図１０】
2020130803.tif 000012
【図１１】
2020130803.tif 000013
【図１２】
2020130803.tif 000014
【図１３】
2020130803.tif 000015
【図１４】
2020130803.tif 000016
【図１５】
2020130803.tif 000017